(57)【要約】【課題】転送レートの低下を抑制しつつ、高品位の再生画像を得ること。【解決手段】再生角度制御回路４２は、情報再生時における参照光と光情報記録媒体との相対角度である再生角度を微少角度だけ変化させながら参照光を照射し、再生光による再生画像における部分画像の位置の変化量である第１変化量および部分画像の面積に関する値の変化量である第２変化量を求める。そして、第１変化量と第２変化量とに基づいて、位置および面積に関する値と再生角度との関係を示す近似関数を求め、近似関数に基づいて、再生角度間隔を算出する。再生角度制御回路４２は、再生角度を再生角度間隔ごとに変化させて参照光を照射し、撮像素子２１４は、再生光から再生画像を取得し、取得した再生画像のそれぞれの部分画像から、情報記録層に記録された情報の一ページの再生画像を合成する。【選択図】図１
2010230920.tif 000002
【特許請求の範囲】
【請求項１】
駆動部により、情報光と参照光との干渉によって生じる干渉縞によって情報をホログラムとして記録可能な情報記録層を有する光情報記録媒体または光学機構を駆動させて、情報再生時における前記参照光と前記光情報記録媒体との相対角度である再生角度を所定の微少角度だけ変化させながら前記参照光を照射し、前記情報記録層から出射される前記情報の再生光による再生画像における所定部分である部分画像の位置の変化量である第１変化量および前記部分画像の面積に関する値の変化量である第２変化量を求める第１算出ステップと、
前記第１変化量と前記第２変化量とに基づいて、前記位置および前記面積に関する値と前記再生角度との関係を示す近似関数を求める第２算出ステップと、
前記近似関数に基づいて、情報記録時における前記参照光と前記光情報記録媒体との相対角度よりも小さい角度である再生角度間隔を算出する第３算出ステップと、
前記駆動部により前記光情報記録媒体または前記光学機構を駆動させて前記再生角度を前記再生角度間隔ごとに変化させて前記参照光を照射する制御ステップと、
前記再生角度間隔ごとの前記再生光からの再生画像を取得し、取得した再生画像のそれぞれの前記部分画像から、前記情報記録層に記録された情報の一ページの再生画像を合成する合成ステップと、
を含むことを特徴とする光情報再生方法。
【請求項２】
前記第１算出ステップにおいては、取得した前記再生画像を複数の領域に分割し、前記領域ごとに、前記第１変化量と前記第２変化量とを求め、
前記第３算出ステップにおいては、前記領域ごとの前記第１変化量と前記第２変化量とに基づいた前記近似関数により、前記領域ごとの前記再生角度間隔を算出し、算出された領域ごとの前記再生角度間隔のうち最小の前記再生角度間隔を前記最適な再生角度間隔として決定することを特徴とする請求項１に記載の光情報再生方法。
【請求項３】
前記第１算出ステップにおいては、前記情報記録層に多重記録された情報からの再生光による再生画像に現れる複数の部分画像の中から任意の部分画像を選択し、選択した部分画像の前記第１変化量と前記第２変化量とを求め、
前記第３算出ステップにおいては、前記第１変化量と前記第２変化量と前記近似関数とにより前記再生角度範囲を算出し、
前記合成ステップにおいては、前記再生画像からページごとに前記部分画像を抽出し、前記ページごとに、抽出された前記部分画像を合成することを特徴とする請求項１または２に記載の光情報再生方法。
【請求項４】
情報光と参照光との干渉によって生じる干渉縞によって情報をホログラムとして記録可能な情報記録層を有する光情報記録媒体に、前記参照光を導入する光学機構と、
前記光情報記録媒体または前記光学機構を駆動する駆動部と、
前記情報記録層から出射される前記情報の再生光を受光する受光部と、
前記駆動部により前記光情報記録媒体または前記光学機構を駆動させて、情報再生時における前記参照光と前記光情報記録媒体との相対角度である再生角度を所定の微少角度だけ変化させながら前記参照光を照射し、前記再生光による再生画像における所定部分である部分画像の位置の変化量である第１変化量および前記部分画像の面積に関する値の変化量である第２変化量を求める第１算出部と、
前記第１変化量と前記第２変化量とに基づいて、前記位置および前記面積に関する値と前記再生角度との関係を示す近似関数を求める第２算出部と、
前記近似関数に基づいて、情報記録時における前記参照光と前記光情報記録媒体との相対角度よりも小さい角度である再生角度間隔を算出する第３算出部と、
前記駆動部により前記光情報記録媒体または前記光学機構を駆動させて前記再生角度を前記再生角度間隔ごとに変化させて前記参照光を照射する制御部と、
前記再生角度間隔ごとの前記再生光からの再生画像を取得し、取得した再生画像のそれぞれの前記部分画像から、前記情報記録層に記録された情報の一ページの再生画像を合成する合成部と、
を備えたことを特徴とする光情報再生装置。
【請求項５】
前記第３算出部は、前記第１変化量と前記第２変化量と前記近似関数とにより、前記再生画像を取得可能な範囲である再生角度範囲の開始角度を算出し、
前記合成部は、前記再生角度を、前記開始角度から前記再生角度範囲において前記再生角度間隔ごとに変化させることを特徴とする請求項４に記載の光情報再生装置。
【請求項６】
前記第１算出部は、取得した前記再生画像を複数の領域に分割し、前記領域ごとに、前記第１変化量と前記第２変化量とを求め、
前記第３算出部は、前記領域ごとの前記第１変化量と前記第２変化量とに基づいた前記近似関数により、前記領域ごとの前記再生角度間隔を算出し、算出された領域ごとの前記再生角度間隔のうち最小の前記再生角度間隔を前記最適な再生角度間隔として決定することを特徴とする請求項４または５に記載の光情報再生装置。
【請求項７】
前記第１算出部は、前記情報記録層に多重記録された情報からの再生光による再生画像に現れる複数の部分画像の中から任意の部分画像を選択し、選択した部分画像の前記第１変化量と前記第２変化量とを求め、
前記第３算出部は、前記第１変化量と前記第２変化量と前記近似関数とにより前記再生角度範囲を算出し、
前記合成部は、前記再生画像からページごとに前記部分画像を抽出し、前記ページごとに、抽出された前記部分画像を合成することを特徴とする請求項４〜６のいずれか一つに記載の光情報再生装置。
【請求項８】
前記第１算出部は、前記再生角度を前記微少角度だけ変化した場合における前記再生画像の移動方向に平行な方向における一または複数の画素の輝度分布の変化を求め、前記輝度分布のピーク位置の変化を前第１変化量として求め、前記輝度分布の広がり幅の変化を前記第２変化量として求めることを特徴とする請求項４〜７のいずれか一つに記載の光情報再生装置。
【請求項９】
前記算出部は、前記輝度分布の中心位置と前記輝度分布の広がり幅のそれぞれが、前記再生角度の線形関数として表される前記近似関数を求めることを特徴とする請求項８に記載の光情報再生装置。
【請求項１０】
前記算出部は、次式を満たすΔθのうち最大のΔθを前記再生角度間隔として求めることを特徴とする請求項８または９に記載の光情報再生装置。
｜Ｃ（θ＋Δθ）｜＜１／２（｜Ｗ（θ）｜＋｜Ｗ（θ＋Δθ）｜）
ここで、θ：前記再生角度、Ｃ（θ）：前記輝度分布の中心位置の前記再生角度θの関数、Ｗ（θ）：前記輝度分布の広がり幅の前記再生角度θの関数。
【発明の詳細な説明】
【技術分野】
【０００１】
本発明は、光情報再生方法および装置に関する。
【背景技術】
【０００２】
ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）等に代表される光情報記録媒体は、これまで主としてレーザ光の短波長化および対物レンズの開口数（ＮＡ）の増大により記録密度の増加に対応してきた。しかしながらそのいずれもが技術的な理由などにより限界に近づいているといわれており、その他の手段・方式による記録密度の増大が要望されている。
【０００３】
種々の提案の中で、近年、ホログラフィを用いた体積記録型の高密度光記録（以下、「ホログラフィックメモリ記録媒体」という。）およびホログラフィックメモリの記録再生装置の開発が実用化に向けて行われている。ホログラフィックメモリの記録方式は、液晶素子やデジタル・マイクロミラー・デバイス等の空間変調器によってレーザ光を空間的に変調して情報を担持する情報光と、情報光と同一波長で一般的には情報光と同一光源から生成される参照光を、記録媒体中の同一個所に照射し、その際に情報光と参照光とによってできる光の干渉縞を記録媒体中に記録するものである。
【０００４】
そして、ホログラフィックメモリ記録媒体の再生の際には、参照光のみを照射することにより、記録時の情報光が再現され、記録時に変調した情報を取得することができる。ＤＶＤなどのように記録面上に記録マークを記録するいわゆる面記録方式に対して、ホログラフィックメモリ記録媒体は、情報記録層の厚み方向への記録が可能な体積記録方式であるため、ＤＶＤなどに比べて大きな記録密度を獲得できる。
【０００５】
また、ＤＶＤなどの場合、記録マークは一般にＯＮ／ＯＦＦのビットデータを表すが、ホログラフィックメモリ記録媒体の場合、情報光は、比較的大量の情報により一括して変調されて干渉縞として記録される。この一組の情報は、記録媒体に保持する情報光の変調パターンで、白黒のドットで構成された２次元バーコード状の記録再生の最小単位であり、ページデータという。
【０００６】
ホログラフィックメモリ記録媒体の記録密度を増大させる方法の一つに、多重記録方式がある。この多重記録方式は、ホログラフィックメモリ記録媒体の同一場所に複数のページデータを記録する方式であり、レーザ光の照射角度をずらす角度多重記録、レーザ光の照射位置をわずかにずらすシフト多重記録など種々の方式が考案されている。
【０００７】
いずれの場合でも、多重記録されたページデータを読み出すためには、記録時のレーザ光とホログラフィックメモリ記録媒体との相対位置や相対角度を、再生時に再現することで初めて所望のページデータを読み出すことができるという特徴を有している。
【０００８】
しかしながら、再生時の温度が記録時よりも上昇した場合、媒体の体積膨張等の影響により記録されている干渉縞と再生参照光の間のブラッグ条件が一部で満たされなくなり、画像データの一部の領域しか再生されず、他の部分は再生されないという問題がある。即ち記録時と再生時で温度変化が生じると、従来の再生手法では記録情報を再現することが不可能となり、このことは実用化に向けた大きな課題の一つとなっている。
【０００９】
このような問題を解決するために、従来、各種手法が提案されている。例えば、特許文献１には、参照光の角度を複数角度変化させて一部だけ欠陥のない良好な再生画像を複数枚取得し、これらの良好な部分を画像合成により繋ぎあわせることで、温度変化が生じてもムラや欠けのない良好な画像を取得する技術が開示されている。また、特許文献２には、特許文献１の技術を前提として、さらに参照光の照射スポット位置を変化させることにより、良好な画像を取得する技術が開示されている。
【先行技術文献】
【特許文献】
【００１０】
【特許文献１】特開２００６−７８９２２公報
【特許文献２】特開２００６−８４５２６公報
【発明の概要】
【発明が解決しようとする課題】
【００１１】
しかしながら、特許文献１および２の技術では、複数の画像要素を取得する際の角度間隔の大小次第で、合成した際に一枚の再生画像を復元するための要素が不足する。このため、画像合成による再生が不可能となる場合や、必要以上の枚数の画像要素が取得されることにより、再生に要する時間が増大し、要素データを記憶しておくためのメモリを大量に消費する場合がある。この結果、再生信号の信頼性が劣化したり、転送レートの低下を招くという問題がある。
【００１２】
本発明は、上記に鑑みてなされたものであって、温度変化等により光情報記録媒体の体積変化に伴う画像劣化が生じた場合においても、転送レートの低下を抑制しつつ、高品位の再生画像を得ることができる光情報再生方法および装置を提供することを目的とする。
【課題を解決するための手段】
【００１３】
上述した課題を解決し、目的を達成するために、本発明にかかる光情報再生方法は、駆動部により、情報光と参照光との干渉によって生じる干渉縞によって情報をホログラムとして記録可能な情報記録層を有する光情報記録媒体または光学機構を駆動させて、情報再生時における前記参照光と前記光情報記録媒体との相対角度である再生角度を所定の微少角度だけ変化させながら前記参照光を照射し、前記情報記録層から出射される前記情報の再生光による再生画像における所定部分である部分画像の位置の変化量である第１変化量および前記部分画像の面積に関する値の変化量である第２変化量を求める第１算出ステップと、前記第１変化量と前記第２変化量とに基づいて、前記位置および前記面積に関する値と前記再生角度との関係を示す近似関数を求める第２算出ステップと、前記近似関数に基づいて、情報記録時における前記参照光と前記光情報記録媒体との相対角度よりも小さい角度である再生角度間隔を算出する第３算出ステップと、前記駆動部により前記光情報記録媒体または前記光学機構を駆動させて前記再生角度を前記再生角度間隔ごとに変化させて前記参照光を照射する制御ステップと、前記再生角度間隔ごとの前記再生光からの再生画像を取得し、取得した再生画像のそれぞれの前記部分画像から、前記情報記録層に記録された情報の一ページの再生画像を合成する合成ステップと、を含むことを特徴とする。
【００１４】
また、本発明にかかる光情報再生装置は、情報光と参照光との干渉によって生じる干渉縞によって情報をホログラムとして記録可能な情報記録層を有する光情報記録媒体に、前記参照光を導入する光学機構と、前記光情報記録媒体または前記光学機構を駆動する駆動部と、前記情報記録層から出射される前記情報の再生光を受光する受光部と、前記駆動部により前記光情報記録媒体または前記光学機構を駆動させて、情報再生時における前記参照光と前記光情報記録媒体との相対角度である再生角度を所定の微少角度だけ変化させながら前記参照光を照射し、前記再生光による再生画像における所定部分である部分画像の位置の変化量である第１変化量および前記部分画像の面積に関する値の変化量である第２変化量を求める第１算出部と、前記第１変化量と前記第２変化量とに基づいて、前記位置および前記面積に関する値と前記再生角度との関係を示す近似関数を求める第２算出部と、前記近似関数に基づいて、情報記録時における前記参照光と前記光情報記録媒体との相対角度よりも小さい角度である再生角度間隔を算出する第３算出部と、前記駆動部により前記光情報記録媒体または前記光学機構を駆動させて前記再生角度を前記再生角度間隔ごとに変化させて前記参照光を照射する制御部と、前記再生角度間隔ごとの前記再生光からの再生画像を取得し、取得した再生画像のそれぞれの前記部分画像から、前記情報記録層に記録された情報の一ページの再生画像を合成する合成部と、を備えたことを特徴とする。
【発明の効果】
【００１５】
本発明によれば、温度変化等により光情報記録媒体の体積変化に伴う画像劣化が生じた場合においても、転送レートの低下を抑制しつつ、高品位の再生画像を得ることができるという効果を奏する。
【図面の簡単な説明】
【００１６】
【図１】図１は、実施の形態１にかかるホログラフィックメモリ記録再生装置の機能的構成を示すブロック図である。
【図２】図２は、ホログラフィックメモリ記録媒体１０の構造を示す模式図である。
【図３】図３は、ホログラム光学系２０の構成を示す模式図である。
【図４−１】図４−１は、情報記録時の温度と情報再生時の温度が等しい場合の再生画像の状態を示す説明図である。
【図４−２】図４−２は、情報記録時の温度と情報再生時の温度が異なる場合の再生画像の状態を示す説明図である。
【図５】図５は、情報再生時において再生角度を変化させた場合の再生画像の変化を示す説明図である。
【図６】図６は、実施の形態１の情報再生処理の手順を示すフローチャートである。
【図７】図７は、部分画像の中心位置Ｃ及び部分画像の広がり幅Ｗと再生角度θとの関係を示すグラフである。
【図８】図８は、最適な再生角度間隔θsで連続的に再生画像を再生する動作を示すタイムチャートである。
【図９−１】図９−１は、最適な再生角度間隔θsで再生角度を変化させた場合の合成の状態を示す説明図である。
【図９−２】図９―２は再生角度間隔が最適な角度より小さい場合の合成の状態を示す説明図である。
【図９−３】図９―３は再生角度間隔が最適な角度より大きい場合の合成の状態を示す説明図である。
【図１０】図１０は、再生角度を微少角度変化させて取得した再生画像を複数の領域に分割した状態を示す説明図である。
【図１１】図１１は、実施の形態２の情報再生処理の手順を示すフローチャートである。
【図１２】図１２は、実施の形態３の情報再生処理の手順を示すフローチャートである。
【発明を実施するための形態】
【００１７】
以下に添付図面を参照して、この発明にかかる光情報再生装置および方法の最良な実施の形態を詳細に説明する。
【００１８】
（実施の形態１）
図１は、実施の形態１にかかるホログラフィックメモリ記録再生装置の機能的構成を示すブロック図である。ホログラフィックメモリ記録再生装置は、ホログラフィックメモリ記録媒体１０に情報光と参照光の干渉縞を記録する。また、ホログラフィックメモリ記録再生装置は、ホログラフィックメモリ記録媒体１０に参照光を照射することによって記録されている情報を再生する。
【００１９】
本実施の形態のホログラフィックメモリ記録再生装置は、図１に示すように、ホログラム光学系２０とシステムコントローラ５０とを主に備えている。
【００２０】
ホログラム光学系２０は、図１に示すように、レーザ光源２０１と、撮像素子２１４と、アクチュエータ２３０と、シャッター２０８と、空間光変調器２０４と、その他光学部品（不図示）を備えている。ホログラム光学系２０の詳細については後述する。
【００２１】
システムコントローラ５０は、図１に示すように、信号処理回路４５と、レーザ制御回路４０と、撮像素子制御回路４１と、再生角度制御回路４２と、シャッター制御回路４３と、空間光変調器制御回路４４と、ホスト装置３６とのインタフェースとなるインタフェース回路（ＩＦ）３５と、主演算処理ブロックであるＣＰＵ（Ｃｅｎｔｒａｌ  Ｐｒｏｃｅｓｓｉｎｇ  Ｕｎｉｔ）３１と、ＲＡＭ（Ｒａｎｄｏｍ  Ａｃｃｅｓｓ  Ｍｅｍｏｒｙ）３２と、ＲＯＭ（Ｒｅａｄ  Ｏｎｌｙ  Ｍｅｍｏｒｙ）３３と、不揮発性メモリであるＮＶ−ＲＡＭ（Ｎｏｎ-Ｖｏｌａｔｉｌｅ  Ｒａｎｄｏｍ  Ａｃｃｅｓｓ  Ｍｅｍｏｒｙ）３４とを備えている。
【００２２】
レーザ制御回路４０は、ホログラフィックメモリ記録媒体１０への情報記録時あるいはホログラフィックメモリ記録媒体１０からの情報再生時に、ＣＰＵ３１の指令に基づいて設定された再生時レーザパワー、記録時レーザパワーが適切に得られるようにレーザ光源２０１を制御する。
【００２３】
空間光変調器制御回路４４は、情報記録時に、ホスト装置３６からインタフェース回路３５を介して供給される記録データに基づいて、画像データを空間光変調器２０４に表示する。
【００２４】
シャッター制御回路４３は、シャッター２０８の開閉を制御するものであり、情報記録時にシャッターを開状態にし、情報再生時にシャッター２０８を閉状態にして、情報のホログラフィックメモリ記録媒体１０の照射を遮断する。
【００２５】
撮像素子制御回路４１は、ホログラフィックメモリ記録媒体１０からの情報再生時に、ＣＰＵ３１からの指令に基づいて、予め設定された撮像素子２１４のパラメータを撮像素子２１４に対して設定する。また、撮像素子制御回路４１は、ＣＰＵ３１からの指令に基づいて、撮像開始のタイミング信号を撮像素子２１４に対して発行する。さらに、撮像素子制御回路４１は、撮像素子２１４で受光した再生像の画像データ（再生画像）を取得して、取得した再生画像をＲＡＭ３２に記録する。
【００２６】
再生角度制御回路４２は、情報記録時あるいは情報再生時に、参照光とホログラフィックメモリ記録媒体１０の相対角度をＣＰＵ３１からの指令に基づいて変化させる制御を行う。具体的には、再生角度制御回路４２は、ホログラフィックメモリ記録媒体１０からの情報の再生時に、アクチュエータ２３０に対して駆動指令を送出することよりアクチュエータ２３０が所定の再生角度ごとにホログラフィックメモリ記録媒体１０を駆動して、これにより、参照光とホログラフィックメモリ記録媒体１０の相対角度を変化させる。
【００２７】
信号処理回路４５は、ＲＡＭ３２に保存された画像データに対する各種信号処理を行う。
【００２８】
図１に示すように、信号処理回路４５、レーザ制御回路４０、撮像素子制御回路４１、再生角度制御回路４２、シャッター制御回路４３、空間光変調器制御回路４４、ＩＦ３５、ＣＰＵ３１、ＲＡＭ３２、ＲＯＭ３３、ＮＶ−ＲＡＭ３４は、すべて信号バス３０に接続されており、この信号バス３０を介してＣＰＵ３１によって制御される。ＣＰＵ３１は、インタフェース回路（ＩＦ）３５通じてホスト装置３６から提供される動作コマンドに従って、ホログラフィックメモリ記録再生装置の全体動作を制御する。また、ＣＰＵ３１は、ＲＡＭ３２を作業領域として使用し、ＮＶ−ＲＡＭ３４に記録された装置個体ごとのパラメータを適宜参照し、ＲＯＭ３２に記録されている制御プログラム（本実施の形態の光情報再生方法を実行するプログラムを含む）に従って所定の動作を行う。
【００２９】
次に、本実施の形態にかかるホログラフィックメモリ記録再生装置で記録再生の対象となるホログラフィックメモリ記録媒体１０の詳細について説明する。
【００３０】
図２は、ホログラフィックメモリ記録媒体１０の構造を示す模式図である。本実施の形態にかかるホログラフィックメモリ記録媒体１０は、透過型の記録媒体であり、図２に示すように、対向する２つの基板１２ａ，１２ｂと、２つの基板１２ａ、１２ｂとの間に挟持されて基板１２ｂ上に積層されたホログラム記録層１３とを含んでいる。
【００３１】
基板１２ａ，１２ｂは、ガラス、ポリカーボネート、アクリル樹脂等の光透過性を有する材質で形成される。ただし、基板１２ａ，１２ｂの材質は、これらに限定されるものではなく、例えば、全波長のレーザ光に対して透過性を有する必要はなく、使用するレーザ光の波長に対する透過性を有する材質で形成されていればよい。
【００３２】
ホログラム記録層１３は、ホログラム記録材料から形成されている。ホログラム記録材料は、レーザ光の情報光と参照光とを干渉させてホログラムが形成される材料である。ホログラム記録材料としては、一般にはフォトポリマーと呼ばれるラジカル重合形の材質で形成され、ラジカル重合性化合物、光ラジカル重合開始剤、マトリックス材料等が含まれる。なお、ホログラム記録材料は、これらの材料に限定されるものではなく、ホログラム記録が可能な材料であれば、いずれの材料を用いても良い。
【００３３】
次に、本実施の形態にかかるホログラフィックメモリ記録再生装置の光学系について説明する。図３は、ホログラム光学系２０の構成を示す模式図である。
【００３４】
本実施の形態では、情報光と参照光は、別々の対物レンズ等を経てホログラム記録層１３において重なるようにホログラフィックメモリ記録媒体１０に入射させる方式である二光束方式の光学系を採用している。なお、図３において、煩雑さを避けるために、一部の光学部品を省略して図示している。
【００３５】
レーザ光源２０１は、記録再生用のレーザ光を出射する光源である。レーザ光源２１０は、一般には緑色や青紫色の半導体レーザおよび波長を安定させるための外部共振器（不図示）を組み合わせて用いている。なお、レーザ光源２０１として、その他の波長や、いわゆるＤＦＢレーザ、ＳＨＧレーザ、固体レーザ、気体レーザなどのレーザ光を出射するように構成してもよい。
【００３６】
レーザ光源２０１から出射されたレーザ光は、１／４波長板２０２を通過し、偏光ビームスプリッタ２０３によって２つの光束に分割される。２つの光束のうち偏光ビームスプリッタ２０３によって反射された第１の光束は、コリメータレンズ２０６，２０７により径の調整をされた後、再び偏光ビームスプリッタ２０５で反射される。そして、偏光ビームスプリッタ２０５で反射した第１の光束は、空間光変調器２０４に入射する。空間光変調器２０４には、空間光変調器制御回路４４によって画像データが表示されており、第１の光束は、かかる画像データによって変調される。ここで、空間光変調器２０４としては、液晶素子やデジタル・マイクロミラー・デバイス等を用いることができる。
【００３７】
そして、この第１の光束は、集光レンズ２１１により収束光となり、情報光としてホログラフィックメモリ記録媒体１０付近に集光する。なお、このときシャッター２０８は、シャッター制御回路４３により開状態となっており、情報光としての第１の光束を遮断することはない。
【００３８】
一方、偏光ビームスプリッタ２０３によって分割された２つの光束のうち偏光ビームスプリッタ２０３を透過した第２の光束は、ミラー２２０で反射され、レンズ２１５，２１６により直径が調整される。その後、この第２の光束は、ホログラフィックメモリ記録媒体１０に参照光として入射する。
【００３９】
このような光学系により、ホログラム記録層１３へのホログラム記録は、次のように行われる。まず、情報光と参照光をホログラム記録層１３中で重ね合わせて干渉縞を形成する。この時、フォトポリマー中の光重合開始剤がフォトンを吸収して活性化し、干渉縞明部のモノマーの重合を発動・促進させる。モノマーの重合が進行して干渉縞明部に存在するモノマーが消費されると、干渉縞暗部から明部にモノマーが移動供給され、結果、干渉縞パターンの明部と暗部に密度差が生じる。これにより、干渉縞パターンの強度分布に応じた屈折率変調が形成されホログラム記録が行われる。
【００４０】
ここで、ホログラフィックメモリ記録媒体１０の再生時は、シャッター制御回路４３によってシャッター２０８を閉状態として情報光を遮断し、参照光のみをホログラフィックメモリ記録媒体１０に入射させ、ホログラフィックメモリ記録媒体１０のから出射される再生光を再生像として撮像素子２１４により受光する。ここで、撮像素子２１４には、ＣＣＤやＣＭＯＳなどの２次元イメージセンサを用いることができる。ただし、これに限定されるものではなく、撮像素子２１４として１次元のリニアイメージセンサを走査して用いたり、撮像管を用いるように構成することもできる。
【００４１】
なお、情報光と参照光のホログラフィックメモリ記録媒体１０にいたるまでの光路長は同一であることが好ましいが、レーザ光源２０１のいわゆるコヒーレント長で許容される範囲であれば、当該光路長は異なっていてもよい。
【００４２】
この他、ホログラフィックメモリ記録媒体１０と撮像素子２１４との間にダイクロイックミラーを設置したり、ホログラフィックメモリ記録媒体１０と撮像素子２１４との間に偏光ビームスプリッタ等を設置するように構成してもよい。あるいは、撮像素子２１４を不要光の波長を検出しない構成としてもよい。
【００４３】
次に、本実施の形態にかかるホログラフィックメモリ記録再生装置による情報再生時の再生角度について説明する。ここで、以降では、ホログラフィックメモリ記録媒体１０からの情報再生時における参照光とホログラフィックメモリ記録媒体１０との相対角度を再生角度という。
【００４４】
図４−１および図４−２は、再生画像の情報記録時と情報再生時の温度差による違いを示す図である。図４−１は、情報記録時の温度と情報再生時の温度が等しい場合の再生画像の状態を示し、図４−２は、情報記録時の温度と情報再生時の温度が異なる場合の再生画像の状態を示している。
【００４５】
参照光とホログラフィックメモリ記録媒体１０の相対角度がある角度θ1で記録された情報の画像データは、通常、情報記録時の温度と情報再生時の温度に違いがない場合には、参照光とホログラフィックメモリ記録媒体１０との相対角度、すなわち再生角度をθy＝θ1で再生した場合、情報記録時に形成された干渉縞と再生参照光の間のブラッグ条件が画像データ全面に渡ってほぼ完全に一致するため、図４−１に示すように、一枚の再生画像として得ることができる。
【００４６】
しかしながら、情報再生時の温度が情報記録時の温度から変化している場合には、再生角度θy＝θ1で再生した場合でも、ホログラフィックメモリ記録媒体１０の体積膨張等の影響により記録された干渉縞が変形する。これにより、情報記録時の参照光と情報再生時の参照光との間のブラッグ条件が一部で満たされなくなる。その結果、このように情報記録時と情報再生時との間に温度差が生じた場合において、再生時に取得した再生画像は、図４−２に示すように、記録した画像データの一部分のみにスポットライトが当たったような部分的な画像（以下、「部分画像」という。）が得られることになる。
【００４７】
図５は、情報再生時において再生角度を変化させた場合の再生画像の変化を示す説明図である。図５の上段の図は、ホログラフィクメモリ記録媒体１０に１ページのみ記録された情報を再生する際に、再生角度θyをθ1近傍において微小角度だけ変化させた場合の再生画像の変化を示している。このように再生角度θyを変化させても部分画像が移動するだけで１枚の良好な画像が得られない。
【００４８】
ホログラフィックメモリ記録媒体１０に情報が記録角度ステップΔθyで角度多重記録された場合において情報記録時の温度近傍の温度下で再生した場合、再生画像は、記録角度ステップΔθyごとに良好な画像データとして得られる。しかしながら、情報再生時の温度が情報記録時の温度から変化している場合には、１ページの画像が記録された場合と同様に、再生画像の一部分が部分的に得られ、図５の下段の図に示すように、１ページ前のページの部分画像と１ページ後ろのページの部分画像とが同時に現れてしまう場合がある。
【００４９】
本実施の形態にかかるホログラフィックメモリ記録媒体１０の情報再生の処理では、情報再生の前にキャリブレーション処理を行って後述する近似関数により最適な再生角度間隔θsを求め、この最適な再生角度間隔で再生角度を変化させて再生画像の複数の部分画像を連続的に取得して合成することにより、情報記録時の温度と情報再生時の温度に差がある場合でも、正確に１ページの再生画像を得るようにしている。ここで、再生角度間隔θsは、情報再生時において、参照光とホログラフィックメモリ記録媒体１０との相対角度である再生角度を変化させる角度ステップである、言い換えれば、この再生角度間隔で再生角度を変化させて再生画像の複数の部分画像を取得している。
【００５０】
以下、本実施の形態の情報再生の処理について説明する。図６は、実施の形態１の情報再生処理の手順を示すフローチャートである。この情報再生処理は、再生角度制御回路４２と、ＣＰＵ３１がＲＯＭ３３に記憶された情報再生プログラムを実行することにより実現される。
【００５１】
まず、再生角度制御回路４２は、アクチュエータ２３０に駆動指令を行い、ホログラフィックメモリ記録媒体１０を駆動して、参照光とホログラフィックメモリ記録媒体１０の相対角度である再生角度を、所定の基準角度θ0に設定する（ステップＳ１１）。このときの所定の基準角度は、再生画像が一部でも再生できる角度であれば、再生対象のページを記録した際の角度に一致している必要はなく、その角度で再生画像を確認できなければ再生画像を確認できるまで再生角度を適宜移動させればよい。
【００５２】
次に、ＣＰＵ３１は、再生画像における部分画像の位置の変化量及び面積に関する値として幅の変化量を取得する（ステップＳ１２）。具体的には、以下のような処理を行う。
【００５３】
再生角度を基準角度θ0に設定した状態でレーザ光源２０１から参照光を出射して、撮像素子２１４から再生画像を取得する。
【００５４】
次に、再生角度制御回路４２は、アクチュエータ２３０に駆動指令を行い、ホログラフィックメモリ記録媒体１０を駆動して、再生角度を基準角度θ0から微小角度θdだけ変化させて参照光を照射して、撮像素子２１４から再生画像を取得する。そして、ＣＰＵ３１は、このようにして取得した２つの再生画像から再生画像の移動方向を求め、この移動方向に平行な方向の一または複数の画素列の輝度分布の変化を求め、基準角度θ0における輝度分布の中心位置Ｃ0、輝度分布の広がり幅Ｗ0、角度θ0＋θdにおける輝度分布の中心位置Ｃ’0、輝度分布の広がり幅Ｗ’0を求める。すなわち、輝度分布の中心位置の差分Ｃ0−Ｃ’0が部分画像の位置の変化量、輝度分布の幅の差分Ｗ0−Ｗ’0が部分画像の面積に関する値の変化量となる。
【００５５】
なお、撮像素子２１４上の所定の２点間Ａ，Ｂ間を輝度のピークが通過する角度を微少角度θdとして用いてもよい。この場合は、Ｃ0＝Ａ、Ｃ’0＝Ｂ、点Ａを通過したときの輝度分布の広がりがＷ、点Ｂを通過したときの輝度分布の広がりがＷ’となる。
【００５６】
次に、ＣＰＵ３１は、部分画像の中心位置と広がり幅を再生角度の近似関数として表す（ステップＳ１３）。
【００５７】
図７は、部分画像の中心位置Ｃ及び部分画像の広がり幅Ｗと再生角度θとの関係を示すグラフである。図７に示すように、部分画像の中心位置Ｃ及び部分画像の広がり幅Ｗは、再生角度θの概ね一次関数で近似できることが分かっている。なお、部分画像の中心位置Ｃ及び部分画像の広がり幅Ｗと再生角度θとの関係を一次関数で近似する他、高次の関数で近似してもよい。ただし、一次関数を用いて近似する場合には、処理速度を向上させ、かつ実装も簡便となる。
【００５８】
従って、部分画像としての輝度分布の中心位置の再生角度θの近似関数をＣ（θ）、輝度分布の広がり幅の再生角度θの近似関数をＷ（θ）とすると、Ｃ（θ）、Ｗ（θ）は基準角度θ0における中心位置Ｃ0、広がり幅Ｗ0、角度θ0＋θdにおける中心位置Ｃ’0、広がり幅Ｗ’0を用い、以下の（１）式で表される。（１）式において、Ｄ、Ｅは（２）式で示される。
【００５９】
【数１】
2010230920.tif 000003
【００６０】
【数２】
2010230920.tif 000004
【００６１】
すなわち、ステップＳ１３では、ＣＰＵ３１は、ステップＳ１２で求めた部分画像（輝度分布）の中心位置の変化量（Ｃ0−Ｃ’0）、広がり幅の変化量（Ｗ0−Ｗ’0）、微少角度θdを用いて（２）式からＤ，Ｅを算出し、算出したＤ，Ｅを用いて（１）式の近似関数を求めることで、部分画像の中心位置と広がり幅を再生角度の近似関数として表している。
【００６２】
次に、ＣＰＵ３１は、このように求めた近似関数を用いて、再生動作の再生角度範囲の開始角度を求める（ステップＳ１４）。
再生角度範囲は、再生動作を行う場合に、再生画像を取得することが可能な再生角度の範囲であり、開始角度から終了角度で示される範囲となる。一方のページ端を再生できる再生角度θminは、まず、（３−１）式より得られるθをθ1、（３−２）式より得られるθをθ2として算出し、さらにθ1、θ2を用いて、（４）式から計算される。このθminを再生角度範囲の開始角度とする。
【００６３】
【数３】
2010230920.tif 000005
【００６４】
【数４】
2010230920.tif 000006
【００６５】
次に、ＣＰＵ３１は、（１）、（２）式で求めた近似関数を用いて、最適な再生角度間隔を算出する（ステップＳ１５）。
【００６６】
本実施の形態では、（５）式を満たすΔθの中で最大のΔθを最適な再生角度間隔θsとしている。
【００６７】
【数５】
2010230920.tif 000007
【００６８】
より具体的に示すと、最適な再生角度間隔θsは、（６−１）式を満たすθ1と、（６−２）式を満たすθ2との差｜θ1−θ2｜として求める。
【００６９】
【数６】
2010230920.tif 000008
【００７０】
すなわち、最適な再生角度間隔θsは、（７）式で示されることになり、ＣＰＵ３１は、この（７）式により最適な再生角度間隔θsを算出する。
【００７１】
【数７】
2010230920.tif 000009
【００７２】
なお、本実施の形態では、ステップＳ１１からＳ１５までのキャリブレーション処理を再生動作の前に必ず行っているが、これに限定されるものではない。例えば、再生画像全体の輝度分布から、１ページの画像データが完全に再生されていると判断され場合には、ステップＳ１１からＳ１５までのキャリブレーション処理を省略して、以降の再生処理を実行するように構成することができる。この場合には、再生角度間隔θSは記録時の角度多重記録間隔となる。
【００７３】
以上のようにキャリブレーション処理が完了すると、以下の手順で再生処理を行う。まず、再生角度制御回路４２はアクチュエータ２３０に駆動指令を行い、ホログラフィックメモリ記録媒体１０を駆動して、参照光とホログラフィックメモリ記録媒体１０の相対角度である再生角度を、ステップＳ１４で求めた開始角度θminに移動する（ステップＳ１６）。
【００７４】
そして、撮像素子制御回路４１が撮像素子２１４に対して撮像開始命令を出力する（ステップＳ１７）。これにより、参照光がホログラフィックメモリ記録媒体１０に照射されて、撮像素子２１４はその再生光を受光して再生画像を出力する。
【００７５】
撮像素子制御回路４１は、撮像素子２１４から出力された再生画像を取得し（ステップＳ１８）、ＣＰＵ３１は、取得した再生画像から良好に再生されている領域である部分画像を抽出し、ＲＡＭ３２に保存する（ステップＳ１９）。
【００７６】
ここで、良好に再生されている領域を判定する判定手法の一例としては、輝度値が所定の閾値以上の画素を部分画像とする他、を変調データ中のオフピクセル（暗点）を閾値以下と誤認しないように、低域通過フィルターを用いて平均輝度分布を取得し、平均輝度分布のある所定の閾値以上の領域を決定し、その領域のみを部分画像として再生画像から抽出する手法を採用することができる。
【００７７】
そして、ＣＰＵ３１は、抽出した部分画像の数が所定の要素数に達したかを判断し（ステップＳ２０）、到達していない場合には（ステップＳ２０：Ｎｏ）、所定の復元すべきページ数に到達したか否かを判断する（ステップＳ２１）。
【００７８】
そして、ステップＳ２１で所定の復元すべきページ数に到達していない場合には（ステップＳ２１：Ｎｏ）、再生角度制御回路４２はアクチュエータ２３０に駆動指令を行い、ホログラフィックメモリ記録媒体１０を駆動して参照光とホログラフィックメモリ記録媒体１０の相対角度である再生角度を、ステップＳ１５で求めた再生角度間隔θs分移動し（ステップＳ２４）、ステップＳ１７からＳ２１までの再生画像の取得、部分画像の抽出の処理を繰り返す。
【００７９】
ステップＳ２０において、抽出した部分画像の数が所定の要素数に到達している場合には（ステップＳ２０：Ｙｅｓ）、ＣＰＵ３１は合成処理開始指令を出力する（ステップＳ２２）。これより抽出された複数の部分画像が合成され一枚の再生画像が生成される。
【００８０】
ここで、本実施の形態では、抽出した複数の部分画像をＲＡＭ３１に保存しておき、抽出した部分画像の数が所定の要素数に達した段階で合成処理を行っているが、合成処理を行うタイミングはこれに限定されるものではない。例えば、再生画像から部分画像を抽出するごとに合成処理を行うように構成してもよい。
【００８１】
合成処理が完了したら、ＣＰＵ３１は最適な再生角度間隔を算出して更新する（ステップＳ２３）。最適な再生角度間隔の算出は、上記で説明したステップＳ１１からＳ１５までの処理と同様に行われる。このように、アクチュエータ２３０への駆動命令もしくは撮像素子２１５に対して撮像命令を出力した直後に、最適な再生角度間隔の更新を行うことで、アクチュエータ２３０によるステージの移動時間もしくは再生画像の取得時間中に更新処理を行うことになり、再生処理時間すなわち再生転送レートに影響を与えることを防止することができる。
【００８２】
ステップＳ２１において、所定の復元すべきページ数に到達した場合（ステップＳ２１：Ｎｏ）、処理を終了する。
【００８３】
図８は、最適な再生角度間隔θsで連続的に再生画像を再生する動作を示すタイムチャートである。図８において、縦軸が時間経過を示し、横軸が再生角度を示している。図８において、矢印は角度の変化する様子を模式的に示したものである。ページを再生するごとに再生角度間隔θsを更新することにより、再生中の温度変化にも追従した角度制御が可能となる。
【００８４】
図９−１〜図９−３は、再生角度間隔ずつ再生角度を変化させながら取得した複数の部分画像を合成する状態を説明するための模式図である。図９−１は、最適な再生角度間隔θsで再生角度を変化させた場合の合成の状態を示している。図９―２は再生角度間隔が最適な角度より小さい場合の状態を示し、図９―３は再生角度間隔が最適な角度より大きい場合の状態を示している。
【００８５】
図９−２の例では、再生角度間隔が最適な角度より小さいため、取得された部分画像が互いに重複する部分を含み、このため部分画像の取得に必要以上の無駄な時間を消費することになる。図９−３の例では、再生角度間隔が最適な角度より大きいため、合成される画像が粗すぎて一枚の再生画像を復元することができない。
【００８６】
これに対し、図９−１に示す本実施の形態では、情報再生時に、近似関数を用いて最適な再生角度間隔を算出してから再生角度をこの最適な再生角度間隔ずつ変化させながら再生画像を取得しているので、再生画像から部分画像を重複なく、かつ粗すぎずに適切に抽出することができる。このため、本実施の形態では、無駄な時間の消費を行うことなく、一枚の再生画像を正確に復元することができ、転送レートの低下を抑制しつつ、高品位の再生画像を得ることができる。
【００８７】
（実施の形態２）
実施の形態２では、再生角度を微少角度変化させて取得した再生画像を複数の領域に分割し、領域ごとに近似関数を求めて再生角度間隔を求め、その中から最小の角度のものを最適な再生角度間隔とするものである。
【００８８】
本実施の形態のホログラフィックメモリ記録再生装置の機能的構成およびホログラム光学系２０については実施の形態１と同様である。
【００８９】
図１０は、再生角度を微少角度変化させて取得した再生画像を複数の領域に分割した状態を示す説明図である。図１０に示すように、本実施の形態のホログラフィックメモリ記録再生装置では、ＣＰＵ３１により、再生角度を微少角度変化させて取得した再生画像を、部分画像の長軸に対して直行する方向に領域を分割し、領域ごとに部分画像（輝度分布）の中心位置の関数Ｃn（θ）、部分画像（輝度分布）の関数Ｗn（θ）、及び再生角度間隔θsnを算出する（ここで、ｎ＝０，１，２・・・）。そして、算出した領域ごとの再生角度間隔θsnの中で最小の再生角度間隔θsnを最適な再生角度間隔θsと決定する。
【００９０】
図１１は、実施の形態２の情報再生処理の手順を示すフローチャートである。まず、実施の形態１と同様に、再生角度を基準角度に設定する（ステップＳ３１）。そして、再生角度を微少角度だけ変化させて再生画像を取得し、取得した再生画像を上記領域に区切り、領域ごとに部分画像の中心位置および広がり幅の変化量を実施の形態１と同様の手法で取得する（ステップＳ３２）。
【００９１】
そして、領域ごとに、実施の形態１と同様の手法で、中心位置および広がり幅を再生角度の関数とした近似関数を求め（ステップＳ３３）、領域ごとに再生角度範囲の開始角度を算出する（ステップＳ３４）。次いで、領域ごとの開始角度の中から、基準角度と最も離れている角度を開始角度として決定する（ステップＳ３５）。
【００９２】
次に、ＣＰＵ３１は、領域ごとに、実施の形態１と同様の手法で最適な再生角度間隔θsnを求める（ステップＳ３６）。そして、ＣＰＵ３１は、領域ごとに求めた再生角度間隔θsnの中から、最小角度となるものを最適な再生角度間隔θsとして決定する（ステップＳ３７）。そして、再生角度をステップＳ３５で求めた開始角度に移動する（ステップＳ３８）。これ以降の再生処理（ステップＳ３９〜Ｓ４６）については実施の形態１と同様に行われる。
【００９３】
このように本実施の形態では、再生角度を微少角度変化させて取得した再生画像を複数の領域に分割し、領域ごとに近似関数を求めて開始角度および再生角度間隔を求め、それぞれの中から最適なものを決定しているので、より高精度に再生画像を復元することができ、転送レートの低下を抑制しつつ、高品位の再生画像を得ることができる。
【００９４】
（実施の形態３）
実施の形態３は、ホログラフィックメモリ記録媒体１０に情報が多重記録されている場合のキャリブレーション処理を行うものである。
【００９５】
本実施の形態のホログラフィックメモリ記録再生装置の機能的構成およびホログラム光学系２０については実施の形態１と同様である。
【００９６】
多重記録されている場合には、前述した図５の下段の図に示すように、再生画像の中に他のページの部分画像が現れる。本実施の形態では、このような場合に、いずれかの部分画像に選択して、その位置の変化量および広がり幅の変化量を算出し、近似関数を用いて最適な再生角度間隔を算出している。そして、算出した再生角度間隔で再生角度を変化させながら、再生画像を取得し、再生画像に現れている複数の部分画像を抽出してページごとに合成している。
【００９７】
図１２は、実施の形態３の情報再生処理の手順を示すフローチャートである。まず、実施の形態１と同様に、再生角度を基準角度に設定する（ステップＳ５１）。そして、再生角度を微少角度だけ変化させて再生画像を取得し、取得した再生画像に現れる複数の部分画像のうち任意の部分画像を選択し、選択した部分画像の中心位置および広がり幅の変化量を実施の形態１と同様の手法で取得する（ステップＳ５２）。
【００９８】
そして、実施の形態１と同様の手法で、中心位置および広がり幅を再生角度の関数とした近似関数を求め（ステップＳ５３）、再生角度範囲の開始角度を算出する（ステップＳ５４）。
【００９９】
次に、ＣＰＵ３１は、実施の形態１と同様の手法で、最適な再生角度間隔θsを求め（ステップＳ５５）、再生角度をステップＳ５４で求めた開始角度に移動する（ステップＳ５６）。
【０１００】
そして、撮像素子制御回路４１が撮像素子２１４に対して撮像開始命令を出力する（ステップＳ５７）。これにより、参照光がホログラフィックメモリ記録媒体１０に照射されて、撮像素子２１４はその再生光を受光して再生画像を出力する。
【０１０１】
撮像素子制御回路４１は、撮像素子２１４から出力された再生画像を取得し（ステップＳ５８）、ＣＰＵ３１は、取得した再生画像から良好に再生されている領域である部分画像を実施の形態１と同様に輝度値に基づいて抽出し、ＲＡＭ３２に保存する（ステップＳ５９）。
【０１０２】
そして、本実施の形態では、再生画像中に複数のページの部分画像が同時に現れているので、それぞれのページ毎に分類して、良好に再生されている部分画像を抽出し、部分画像をページごとにＲＡＭ３２上の異なるバッファに保存する（ステップＳ６０）。
【０１０３】
そして、ＣＰＵ３１は、抽出した部分画像の数が所定の要素数に達したかを判断し（ステップＳ６１）、到達していない場合には（ステップＳ６１：Ｎｏ）、所定の復元すべきページ数に到達したか否かを判断する（ステップＳ６２）。
【０１０４】
そして、ステップＳ６２で所定の復元すべきページ数に到達していない場合には（ステップＳ６２：Ｎｏ）、再生角度制御回路４２はアクチュエータ２３０に駆動指令を行い、ホログラフィックメモリ記録媒体１０を駆動して参照光とホログラフィックメモリ記録媒体１０の相対角度である再生角度を、ステップＳ５５で求めた再生角度間隔θs分移動し（ステップＳ６６）、ステップＳ５７からＳ６２までの再生画像の取得、部分画像の抽出の処理を繰り返す。
【０１０５】
ステップＳ６１において、抽出した部分画像の数が所定の要素数に到達している場合には（ステップＳ６１：Ｙｅｓ）、ＣＰＵ３１は合成処理開始指令を出力する（ステップＳ６３）。これより、ページごとに抽出されてバッファに保存された複数の部分画像がそれぞれページごとに合成されページごとの再生画像が生成される（ステップＳ６４）。
【０１０６】
合成処理が完了したら、ＣＰＵ３１は最適な再生角度間隔を算出して更新する（ステップＳ６４）。最適な再生角度間隔の算出は、上記で説明したステップＳ５１からＳ５５までの処理と同様に行われる。
【０１０７】
ステップＳ６２において、所定の復元すべきページ数に到達した場合（ステップＳ６２：Ｎｏ）、処理を終了する。
【０１０８】
このように本実施の形態では、再生画像に現れる任意の部分画像に選択して、その中心位置の変化量および広がり幅の変化量を算出し、近似関数を用いて最適な再生角度間隔を算出し、算出した再生角度間隔で再生角度を変化させながら、再生画像に現れている複数の部分画像を抽出してページごとに合成しているので、情報がホログラフィックメモリ記録媒体１０に多重記録されている場合においても、無駄な時間の消費を行うことなく、ページごとの再生画像を正確に復元することができ、転送レートの低下を抑制しつつ、高品位の再生画像を得ることができる。
【０１０９】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【０１１０】
１０  ホログラフィックメモリ記録媒体
２０  ホログラム光学系
５０  システムコントローラ
３１  ＣＰＵ
３２  ＲＡＭ
３３  ＲＯＭ
３４  ＮＶ−ＲＡＭ
３５  インタフェース回路（ＩＦ）
３６  ホスト装置
４０  レーザ制御回路
４１  撮像素子制御回路
４２  再生角度制御回路
４３  シャッター制御回路
４４  空間光変調器制御回路
４５  信号処理回路
２０１  レーザ光源
２１４  撮像素子
２３０  アクチュエータ
２０８  シャッター
２０４  空間光変調器
【図１】
2010230920.tif 000010
【図２】
2010230920.tif 000011
【図６】
2010230920.tif 000012
【図７】
2010230920.tif 000013
【図８】
2010230920.tif 000014
【図９−１】
2010230920.tif 000015
【図９−２】
2010230920.tif 000016
【図１１】
2010230920.tif 000017
【図１２】
2010230920.tif 000018
【図３】
2010230920.tif 000019
【図４−１】
2010230920.tif 000020
【図４−２】
2010230920.tif 000021
【図５】
2010230920.tif 000022
【図９−３】
2010230920.tif 000023
【図１０】
2010230920.tif 000024